(57)【要約】【課題】コンテンツの映像等の伝送に優れ且つコンテンツの編集情報を送信することが可能なコンテンツ編集情報処理装置を提供すること。【解決手段】コンテンツ編集情報処理装置は、デジタル放送コンテンツを記憶するとともに、前記デジタル放送コンテンツの時間情報を利用した編集情報を記憶する記憶手段と、前記記憶手段に記憶された前記デジタル放送コンテンツを外部機器へ送信するための第１の通信規格に準拠した第１の送信手段と、前記記憶手段に記憶された前記編集情報を前記外部機器へ送信するための第２の通信規格に準拠した第２の送信手段とを備える。【選択図】      図１
2010011178.tif 000002
【特許請求の範囲】
【請求項１】
デジタル放送コンテンツを記憶するとともに、前記デジタル放送コンテンツの時間情報を利用した編集情報を記憶する記憶手段と、
前記記憶手段に記憶された前記デジタル放送コンテンツを外部機器へ送信するための第１の通信規格に準拠した第１の送信手段と、
前記記憶手段に記憶された前記編集情報を前記外部機器へ送信するための第２の通信規格に準拠した第２の送信手段と、
を備えたことを特徴とするコンテンツ編集情報処理装置。
【請求項２】
前記デジタル放送コンテンツを受信するデジタル放送受信手段と、
前記受信手段により受信された前記デジタル放送コンテンツの時間情報を利用した編集情報を生成する編集手段と、
を備え、
前記編集情報は、前記デジタル放送コンテンツのMPEG2 TS(Transport Stream)のPES(Packetized Elementary Stream) Packetに記録された前記時間情報により示される映像の再生開始位置情報及び再生終了位置情報を含むことを特徴とする請求項１に記載のコンテンツ編集情報処理装置。
【請求項３】
前記編集情報は、前記デジタル放送コンテンツのMPEG2 TSのPES Packetに記録された前記時間情報により示されるチャプター境界位置情報を含むことを特徴とする請求項２に記載のコンテンツ編集情報処理装置。
【請求項４】
送信器及び受信器を備えたコンテンツ編集情報処理システムであって、
前記送信器は、
デジタル放送コンテンツを記憶するとともに、前記デジタル放送コンテンツの時間情報を利用した編集情報を記憶する第１の記憶手段と、
前記デジタル放送コンテンツを前記受信器へ送信するための第１の通信規格に準拠した第１の送信手段と、
前記編集情報を前記受信器へ送信するための第２の通信規格に準拠した第２の送信手段と、
を備え、
前記受信器は、
前記送信器からの前記デジタル放送コンテンツを受信する前記第１の通信規格に準拠した第１の受信手段と、
前記送信器からの前記編集情報を受信する前記第２の通信規格に準拠した第２の受信手段と、
前記映像情報及び前記編集情報を記憶する第２の記憶手段と、
前記編集情報に基づき前記映像情報を再生する再生手段と、
を備えたことを特徴とするコンテンツ編集情報処理システム。
【請求項５】
デジタル放送コンテンツの時間情報を利用した編集情報を記憶する記憶手段と、
前記記憶手段に記憶された前記編集情報を外部機器へ送信する送信手段と、
を備え、
前記編集情報は、前記デジタル放送コンテンツを識別するための識別情報を含み、前記デジタル放送コンテンツのMPEG2 TS(Transport Stream)のPES(Packetized Elementary Stream) Packetに記録された前記時間情報により示される映像の再生開始位置情報及び再生終了位置情報を含むことを特徴とするコンテンツ編集情報処理装置。
【請求項６】
送信器及び受信器を備えたコンテンツ編集情報処理システムであって、
前記送信器は、
デジタル放送コンテンツの時間情報を利用した編集情報を記憶する第１の記憶手段と、
前記第１の記憶手段に記憶された編集情報を外部機器へ送信する送信手段と、
を備え、
前記受信器は、
前記デジタル放送コンテンツを取得するコンテンツ取得手段と、
前記外部機器からの前記編集情報を受信する受信手段と、
前記デジタル放送コンテンツ及び前記編集情報を記憶する第２の記憶手段と、
前記編集情報に基づき前記デジタル放送コンテンツを再生する再生手段と、
を備え、
前記編集情報は、前記デジタル放送コンテンツを識別するための識別情報を含み、前記デジタル放送コンテンツのMPEG2 TS(Transport Stream)のPES(Packetized Elementary Stream) Packetに記録された前記時間情報により示される映像の再生開始位置情報及び再生終了位置情報を含むことを特徴とするコンテンツ編集情報処理システム。
【発明の詳細な説明】
【技術分野】
【０００１】
本発明は、デジタル放送コンテンツを受信し、受信したコンテンツを記録し、記録したコンテンツを編集し、編集情報を記録するＨＤＤレコーダ等のコンテンツ編集処理装置に関する。
【背景技術】
【０００２】
近年、デジタルチューナ搭載のＨＤＤレコーダ等が普及し、デジタル放送により提供されるデジタルコンテンツを録画して楽しむことができるようになった。また、ＨＤＤレコーダは、デジタルコンテンツを編集することもでき、これにより、視聴者は、例えばデジタルコンテンツに含まれるＣＭ部分を飛ばしてデジタルコンテンツを視聴することができる。
【０００３】
具体的には、ＨＤＤレコーダは、ユーザ操作入力に基づき、デジタルコンテンツのMPEG2 TS(Transport Stream)のPES(Packetized Elementary Stream) Packetに記録されたPTS(Presentation Time Stamp）を利用した編集情報を生成し、編集情報に基づきMPEG2 TSを再生する。これにより、例えば編集情報がＣＭ部分の開始時刻から終了時刻までをスキップする情報を含むと、ＨＤＤレコーダはこの編集情報に基づきＣＭ部分を飛ばしてデジタルコンテンツを再生する。
【０００４】
このような編集情報の取り扱い技術として、あるコンテンツ情報のチャプター情報を別のコンテンツ情報に再利用させる技術が提案されている（特許文献１参照）。具体的には録画番組情報に付加されたチャプター情報を録画番組情報から独立して管理し、このチャプター情報をネットワーク等を通じて外部と送受信する技術が提案されている。
【特許文献１】特開２００５−２１７８７５
【発明の開示】
【発明が解決しようとする課題】
【０００５】
上記したＨＤＤレコーダは、IEEE1394の通信規格に準拠したiLINK（登録商標）端子を搭載しており、このiLINK端子を介してデジタルコンテンツ（MPEG2 TS）を外部機器（別のＨＤＤレコーダ）へ出力することもできる。IEEE1394は、洗練されたSCSIコマンド体系を基礎としているため接続の安定性に優れ、転送効率にも優れ、ＣＰＵの負荷も低いというメリットがある。一方で、iLINK端子は、編集情報を外部機器へ送信できないというデメリットがある。
【０００６】
また、上記特許文献１に開示された技術は、録画番組情報とチャプター情報を分離し、チャプター情報のみを公開することにより、チャプター情報の共有を行うことができるというものである。しかしながら、上記特許文献１に開示されたチャプター情報は、フレーム単位の高精度な情報ではない。このため、共有のチャプター情報を利用した場合のチャプター再生には誤差が生じることがあり得る。
【０００７】
本発明の目的は、コンテンツの映像等の伝送に優れ且つコンテンツの編集情報を送信することが可能なコンテンツ編集情報処理装置及びコンテンツ編集情報処理システムを提供することにある。
【０００８】
また、本発明の目的は、高精度な編集情報の共有を可能にするコンテンツ編集情報処理装置及びコンテンツ編集情報処理システムを提供することにある。
【課題を解決するための手段】
【０００９】
この発明の一実施形態に係るコンテンツ編集情報処理装置は、デジタル放送コンテンツを記憶するとともに、前記デジタル放送コンテンツの時間情報を利用した編集情報を記憶する記憶手段と、前記記憶手段に記憶された前記デジタル放送コンテンツを外部機器へ送信するための第１の通信規格に準拠した第１の送信手段と、前記記憶手段に記憶された前記編集情報を前記外部機器へ送信するための第２の通信規格に準拠した第２の送信手段とを備えている。
【００１０】
この発明の一実施形態に係るコンテンツ編集情報処理システムは、送信器及び受信器を備えたコンテンツ編集情報処理システムであって、前記送信器は、デジタル放送コンテンツを記憶するとともに、前記デジタル放送コンテンツの時間情報を利用した編集情報を記憶する第１の記憶手段と、前記デジタル放送コンテンツを前記受信器へ送信するための第１の通信規格に準拠した第１の送信手段と、前記編集情報を前記受信器へ送信するための第２の通信規格に準拠した第２の送信手段とを備え、前記受信器は、前記送信器からの前記デジタル放送コンテンツを受信する前記第１の通信規格に準拠した第１の受信手段と、前記送信器からの前記編集情報を受信する前記第２の通信規格に準拠した第２の受信手段と、前記映像情報及び前記編集情報を記憶する第２の記憶手段と、前記編集情報に基づき前記映像情報を再生する再生手段とを備えている。
【００１１】
この発明の一実施形態に係るコンテンツ編集情報処理装置は、デジタル放送コンテンツの時間情報を利用した編集情報を記憶する記憶手段と、前記記憶手段に記憶された前記編集情報を外部機器へ送信する送信手段とを備え、前記編集情報は、前記デジタル放送コンテンツを識別するための識別情報を含み、前記デジタル放送コンテンツのMPEG2 TSのPES Packetに記録された前記時間情報により示される映像の再生開始位置情報及び再生終了位置情報を含む。
【００１２】
この発明の一実施形態に係るコンテンツ編集情報処理システムは、送信器及び受信器を備えたコンテンツ編集情報処理システムであって、前記送信器は、デジタル放送コンテンツの時間情報を利用した編集情報を記憶する第１の記憶手段と、前記第１の記憶手段に記憶された編集情報を外部機器へ送信する送信手段とを備え、前記受信器は、前記デジタル放送コンテンツを取得するコンテンツ取得手段と、前記外部機器からの前記編集情報を受信する受信手段と、前記デジタル放送コンテンツ及び前記編集情報を記憶する第２の記憶手段と、前記編集情報に基づき前記デジタル放送コンテンツを再生する再生手段とを備え、前記編集情報は、前記デジタル放送コンテンツを識別するための識別情報を含み、前記デジタル放送コンテンツのMPEG2 TSのPES Packetに記録された前記時間情報により示される映像の再生開始位置情報及び再生終了位置情報を含む。
【発明の効果】
【００１３】
本発明によれば、コンテンツの映像等の伝送に優れ且つコンテンツの編集情報を送信することが可能なコンテンツ編集情報処理装置及びコンテンツ編集情報処理システムを提供できる。
【００１４】
また、本発明によれば、高精度な編集情報の共有を可能にするコンテンツ編集情報処理装置及びコンテンツ編集情報処理システムを提供できる。
【発明を実施するための最良の形態】
【００１５】
以下、図面を参照し、本発明の実施形態について説明する。
【００１６】
図１は、本発明の一実施形態に係る録画再生装置（コンテンツ編集情報処理装置）の概略構成の一例を示す図である。この録画再生装置が情報を送信する場合、この録画再生装置は送信器に相当し、この録画再生装置が情報を受信する場合、この録画再生装置は受信器に相当する。
【００１７】
図１に示すように、録画再生装置は、デジタルチューナ１、ストリーム解析部２、ハードディスクドライブ（ＨＤＤ）３、管理情報制御部４、再生処理部５、IEEE1394通信規格に準拠したiLINK通信部６、ネットワーク通信規格に準拠したネットワーク通信部７、リモコン操作入力部８、ＭＰＥＧデコーダ９を備えている。
【００１８】
デジタルチューナ１はデジタル放送信号（デジタル放送コンテンツ）を受信する。デジタル放送信号は、MPEG2 TS(Transport Stream)形式であり、MPEG2 TSのPES(Packetized Elementary Stream) PacketにはPresentation Time Stamp（PTS）が記録されおり、このPTSは放送局で付与されている絶対時間情報である。つまり、同じコンテンツには、同じPresentation Time Stamp（PTS）が記録されている。ストリーム解析部２は受信したデジタル放送信号を解析し、デジタル放送信号をTime stamp付き MPEG2 Partial TS形式に変換し、ＨＤＤ３は変換されたMPEG2 Partial TSMPEG2 TS形式のデータを記録する。なお、ストリーム解析部２は、Partial TS中のVideo ES信号を解析し、記録開始時点のPresentation Time Stamp（PTS）値、記録終了時点のPTS値とデータサイズ、及びVideo ES中のI-PictureのPTS値とI-Picture先頭のデータが存在する記録開始からのアドレスを管理情報として生成し、管理情報制御部４に入力する。
【００１９】
図２は、ストリーム解析部で生成する管理情報の説明図である。録画再生装置は、HD DVD Video Recording Formatに基づいて情報を記録する。ストリーム解析部２は、Stream中のVideo ESを解析することによりGOP（Group of picture）の先頭位置を発見し、あるGOPと次のGOPとのPTS差分からSOBU_PB_TMを、またあるGOPの先頭位置から次のGOPの先頭位置までのアドレスの差分からSOBU_SZを算出する。またストリーム先頭のPTSはSOB(Stream Object)のSOB_S_PTM、ストリーム最後のPTSはSOB_E_PTMとして保存する。管理情報制御部４は、これらのSOB情報を生成し、またユーザにオリジナルタイトルとして見えるPGI(Program chain Information)、CI(Cell Information)を生成・管理する。
【００２０】
録画再生装置は、リモコン操作入力部８を介して入力されるユーザ操作に基づき、タイトルの任意の箇所でチャプター分割を行うことができる。チャプター分割は、内部的にはCIにエントリポイントを設定することで実現し、エントリポイントの設定位置はEP_PTMの値で示される。つまり、エントリポイントの設定位置を示すEP_PTMの値が編集情報として保持され、この編集情報によりタイトルの任意の箇所で分割されたチャプターを指定して再生することができる。
【００２１】
また録画再生装置は、リモコン操作入力部８を介して入力されるユーザ操作に基づき、オリジナルタイトルの一部区間を参照する仮想的なタイトルであるプレイリストを作成することができる。プレイリストタイトルは内部的にはUD_PGCI(User Difined_Program chain Information)で管理され、PGIと同様、内部にCIを保持する。CIではCell再生開始位置と終了位置であるC_S_PTM/C_E_PTMを保持しており、SOB中の任意の位置から任意の位置までを再生するように記述することができる。図２の例ではUD_PGCIはPTM-a〜PTM-bまで及びPTM-c〜PTM-dまでを再生するように記述されており、オリジナルタイトルのSOB_S_PTM〜PTM-aまで、PTM-b〜PTM-cまで、PTM-d〜SOB_E_PTMまでの区間は再生されない。つまり、上記したC_S_PTM/C_E_PTMを編集情報として保持することにより、この編集情報によりオリジナルタイトルのSOB_S_PTM〜PTM-aまで、PTM-b〜PTM-cまで、PTM-d〜SOB_E_PTMまでの区間を飛ばして再生することができる。
【００２２】
一方、録画再生装置は、iLINK通信部６を経由してコンテンツを送受信することが可能である。iLINK通信においては、コンテンツはMPEG2 TS形式で送受信される。例えば図２のプレイリストを送信する場合、プレイリストの先頭の画像はPTM-aの位置であるが、この位置はGOPの途中であり、この画像を表示するためにはGOP先頭のデータが必要である。このため、iLINK通信ではPTS#1のデータから送信することになる。同様にPTM-b,PTM-c,PTM-dもすべてGOP全体を送信することになる。その結果、このプレイリストをiLINKに送信するには、オリジナルであるPGIと同じデータを送信することになる。一方、iLINK上ではMPEG2 TS以外の情報は送信できないため、送信側機器でユーザがプレイリストを使って編集作業を行っても、受信側機器では編集前と同じ状態で受信することになり、編集内容を伝えることができない。
【００２３】
そこで、本録画再生装置（送信器）は、iLINK（iLINK通信部６）でストリームを送信した後、ネットワーク経由（ネットワーク通信部７経由）でストリームの再生開始位置・再生終了位置等の編集情報を通知する。これに対応して本録画再生装置（受信器）は、iLINK（iLINK通信部６）でストリームを受信した後、ネットワーク経由（ネットワーク通信部７経由）で編集情報を受信し、編集情報に基づいてストリームを再生する。
【００２４】
図３は、２台の記録再生装置の接続形態の一例を示す図である。例えば、録画再生装置（レコーダ#1）１は送信側機器に相当し、録画再生装置（レコーダ#2）２が受信側機器に相当し、それぞれiLINKケーブルで接続されている。録画再生装置（レコーダ#1）１に記録されているMPEG2 TS Streamは、このiLINKケーブル上を伝送される。また録画再生装置（レコーダ#1）１及び録画再生装置（レコーダ#2）２の両者は、Ethernet（登録商標）端子（ネットワーク通信部７）を持ちハブ３に接続されており、Ethernet経由で相互に通信することができる。
【００２５】
図４は、録画再生装置（レコーダ#1）１に相当する送信側機器の処理の一例を示すフローチャートである。
【００２６】
送信側機器は、iLINKで送信するタイトルが決まると、そのタイトルの先頭CIを探索し（ＳＴ１０１）、CIの先頭を含むGOP境界からStreamを読み出し（ＳＴ１０２）、読み出したStreamをiLINKで出力する（ＳＴ１０３）。次のCIがある場合は（ＳＴ１０４、ＹＥＳ）、次のCIがあることをEthernet経由で受信側機器に通知し（ＳＴ１０５）、CIのすべてのStreamの出力が終わるまで、Streamの読み出し（ＳＴ１０２）、StreamのiLINK出力（ＳＴ１０３）を繰り返す。
【００２７】
CIのすべてのStreamのiLINK出力が終わったら（ＳＴ１０４、ＮＯ）、このCIの付帯情報であるC_S_PTM、C_E_PTM（編集情報）をEthernet経由で受信側機器に送信する（ＳＴ１０６）。またCI内に設定されたEPI情報（編集情報）も同時にEthernet経由で受信側機器に送信すると（ＳＴ１０７）、受信側機器でチャプター情報も継承させることができる。次のCIがある場合は（ＳＴ１０８、ＹＥＳ）、次のCIがあることをEthernet経由で受信側機器に通知し（ＳＴ１０９）、CI送信処理に戻る。
【００２８】
iLINKではMPEG2 TS以外の情報を送信できないので、タイトル名もEthernet経由で送信すれば（ＳＴ１１０）、受信側機器にタイトル名を継承させることができる。
【００２９】
図５は、録画再生装置（レコーダ#2）２に相当する受信側機器の処理の一例を示すフローチャートである。
【００３０】
受信側機器は、iLINKからのStream入力を待ち、Streamが入力されたら（ＳＴ２０１）、図２のような管理情報を生成しながらこの信号を記録する（ＳＴ２０２）。Streamの受信が終了したら（ＳＴ２０３、ＹＥＳ）、記録処理を停止し、Ethernet経由でCIの情報を受信し（ＳＴ２０４）（ＳＴ２０５）、C_S_PTM/C_E_PTMやEPI情報（編集情報）を作成し（ＳＴ２０６）、管理情報制御部に保存する。また、Ethernetからの情報より次のCIがあることがわかった場合（ＳＴ２０７、ＹＥＳ）、次のCIの受信処理に戻る。すべてのCIが終了したら（ＳＴ２０７、ＮＯ）、タイトル名を受信し（ＳＴ２０８）、受信処理を終了する。
【００３１】
記録処理にて算出したSOB_S_PTMやSOB_E_PTMはGOP境界に位置しているが、ネットワーク経由で受信したC_S_PTMやC_E_PTMはユーザが編集操作によって設定したピクチャー単位の位置である。この仕組みによって、GOP単位ではなくピクチャー単位でユーザの編集結果を受信側機器で復元できる。またタイトル名など、MPEG2 TSの信号に重畳できない情報もEthernet経由の通信を併用することで、ユーザの設定した名称を受信側機器に反映させることができる。
【００３２】
以上により、iLINK経由で映像等の情報を送信し、Ethernet経由で編集情報を送信することにより、iLINKによる通信特性を生かしつつ、編集情報も送信することができ、受信側機器において、送信側機器で行った編集結果を利用した映像等の再生が可能となる。また、放送局側で付与されたPTSに基づく編集情報を利用するため、フレーム単位で高精度に編集された再生を実現することができる。
【００３３】
上記説明では、iLINK経由でMPEG2 TSの信号を送受信し、Ethernet経由で編集情報を送受信するケースについて説明したが、DLNA(Digital Living Network Alliance)により規定された通信規格に従ってMPEG2 TS及び編集情報を送受信するようにしてもよい。この場合、図１に示すネットワーク通信部７が、DLNAにより規定された通信規格に対応し、ネットワーク通信部７が、MPEG2 TS及び編集情報を送受信する。
【００３４】
図６は、録画再生装置（レコーダ#1）１に相当する送信側機器によるDLNA通信を利用した送信処理の一例を示すフローチャートである。
【００３５】
送信側機器は、先に、CIの付帯情報であるC_S_PTM、C_E_PTM（編集情報）をDLNA通信で受信側機器に送信する（ＳＴ３０１）。またCI内に設定されたEPI情報（編集情報）も同時にDLNA通信で受信側機器に送信すると（ＳＴ３０２）、受信側機器でチャプター情報も継承させることができる。次のCIがある場合は（ＳＴ３０３、ＹＥＳ）、次のCIがあることをDLNA通信で受信側機器に通知し（ＳＴ３０４）、CI送信処理に戻る。
【００３６】
さらに、送信側機器は、送信タイトルの先頭CIを取得し（ＳＴ３０５）、CIの先頭を含むGOP境界からStreamを読み出し（ＳＴ３０６）、読み出したStreamをDLNA通信で出力する（ＳＴ３０７）。次のCIがある場合は（ＳＴ３０８、ＹＥＳ）、次のCIがあることをDLNA通信で受信側機器に通知し（ＳＴ３０９）、CIのすべてのStreamの出力が終わるまで、Streamの読み出し（ＳＴ３０６）、Streamの送信（ＳＴ３０７）を繰り返す。
【００３７】
さらに、タイトル名もDLNA通信で送信すれば（ＳＴ３１０）、受信側機器にタイトル名を継承させることができる。
【００３８】
図７は、録画再生装置（レコーダ#2）２に相当する受信側機器によるDLNA通信を利用した受信処理の一例を示すフローチャートである。
【００３９】
DLNA通信でCIの情報を受信し（ＳＴ４０１）（ＳＴ４０２）、C_S_PTM/C_E_PTMやEPI情報（編集情報）を作成し（ＳＴ４０３）、管理情報制御部に保存する。また、DLNA通信からの情報より次のCIがあることがわかった場合（ＳＴ４０４、ＹＥＳ）、次のCIの受信処理に戻る。すべてのCIが終了したら（ＳＴ４０４、ＮＯ）、DLNA通信からのStream入力を待ち、Streamが入力されたら（ＳＴ４０５）、図２のような管理情報を生成しながらこの信号を記録する（ＳＴ４０６）。Streamの受信が終了したら（ＳＴ４０７、ＹＥＳ）、記録処理を停止する。さらに、タイトル名を受信し（ＳＴ４０８）、受信処理を終了する。
【００４０】
記録処理にて算出したSOB_S_PTMやSOB_E_PTMはGOP境界に位置しているが、ネットワーク経由で受信したC_S_PTMやC_E_PTMはユーザが編集操作によって設定したピクチャー単位の位置である。この仕組みによって、GOP単位ではなくピクチャー単位でユーザの編集結果を受信側機器で復元できる。またタイトル名など、MPEG2 TSの信号に重畳できない情報もEthernet経由の通信を併用することで、ユーザの設定した名称を受信側機器に反映させることができる。
【００４１】
上記説明では、送信側機器がMPEG2 TS Streamと管理情報（編集情報）を生成し、送信側機器が受信側機器に対してMPEG2 TS Streamと管理情報（編集情報）を送信するケースについて説明した。つまり、送信側機器と受信側機器とが１対１で接続されるケースについて説明した。以下では、送信側機器と受信側機器とが１対１で接続されるケースではなく、デジタル放送の編集情報をインターネット上で公開し、複数の録画再生装置（複数の受信側機器）で公開された編集情報を受信し、各録画再生装置（各受信側機器）に記録されたデジタル放送コンテンツを受信した編集情報に従って再生する処理について説明する。
【００４２】
図８は、インターネット上に公開されている編集情報ファイルの一例を示す図である。
【００４３】
デジタル放送の場合、Video ESの各PictureのPTSは放送局で付与しているため、どの録画再生装置で記録を行ってもPTSの値は同じになる。例えば、あるユーザが所持する録画再生装置が、所定番組を編集した内容（編集情報ファイル）を図８のような形式でインターネット上で公開する。つまり、録画再生装置のネットワーク通信部７により編集情報ファイルがネットワークサーバへ送信される。別のユーザが所持する録画再生装置が同じ所定番組を録画している場合、この別のユーザが所持する録画再生装置がインターネット上で公開された所定番組を編集した内容（編集情報ファイル）を受信する。つまり、録画再生装置のネットワーク通信部７によりネットワークサーバから所定番組を編集した内容（編集情報ファイル）を受信する。これにより、この別のユーザが所持する録画再生装置で、インターネット上で公開された所定番組を編集した内容（編集情報ファイル）に基づき所定番組を再生することができる。
【００４４】
なお、図８に示すように、編集情報ファイルは、デジタル放送コンテンツを識別するための識別情報（録画日時、ＮＩＤ（ネットワークＩＤ）、ＳＩＤ（サービスＩＤ）、ＥＩＤ（イベントＩＤ）、Ｅｖｅｎｔ名）を含み、デジタル放送コンテンツのMPEG2 TSのPES Packetに記録されたPTSにより示される映像の再生開始位置情報、再生終了位置情報、及びチャプター境界位置情報等を含む。
【００４５】
図９は、自動編集処理の一例を示すフローチャートである。
【００４６】
受信側機器は、インターネットより編集情報ファイルを受信したら（ＳＴ５０１）、ファイルに記載されているNID/SID/EIDから、この編集ファイルと同じ番組を録画してあるか、HDD内から検索する。もしHDD内に同じ番組を記録したタイトルがある場合（ＳＴ５０２、ＹＥＳ）、編集情報ファイルの編集内容を適用するプレイリスト（UD_PGCI）を作成する（ＳＴ５０３）。UD_PGCIには編集情報ファイルと同じC_S_PTM/C_E_PTMのCI、及び同じEP_PTMのEPIを作成する（ＳＴ５０４）（ＳＴ５０５）。この処理により、他人が作った編集内容とまったく同じプレイリストを自動作成することが可能になり、受信側機器は、他人が作った編集内容に基づき番組を再生することができる。また、放送局側で付与されたPTSに基づく編集情報を利用するため、フレーム単位で高精度に編集された再生を実現することができる。
【００４７】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４８】
【図１】本発明の一実施形態に係る録画再生装置（コンテンツ編集情報処理装置）の概略構成の一例を示す図である。
【図２】ストリーム解析部で生成する管理情報の説明図である。
【図３】２台の記録再生装置の接続形態の一例を示す図である。
【図４】録画再生装置（レコーダ#1）１に相当する送信側機器の処理の一例を示すフローチャートである。
【図５】録画再生装置（レコーダ#2）２に相当する受信側機器の処理の一例を示すフローチャートである。
【図６】録画再生装置（レコーダ#1）１に相当する送信側機器によるDLNA通信を利用した送信処理の一例を示すフローチャートである。
【図７】録画再生装置（レコーダ#2）２に相当する受信側機器によるDLNA通信を利用した受信処理の一例を示すフローチャートである。
【図８】インターネット上に公開されている編集情報ファイルの一例を示す図である。
【図９】自動編集処理の一例を示すフローチャートである。
【符号の説明】
【００４９】
１…デジタルチューナ、２…ストリーム解析部、３…ハードディスクドライブ、４…管理情報制御部、５…再生処理部、６…iLINK通信部、７…ネットワーク通信部、８…リモコン操作入力部、９…ＭＰＥＧデコーダ
【図１】
2010011178.tif 000003
【図２】
2010011178.tif 000004
【図３】
2010011178.tif 000005
【図４】
2010011178.tif 000006
【図５】
2010011178.tif 000007
【図６】
2010011178.tif 000008
【図７】
2010011178.tif 000009
【図８】
2010011178.tif 000010
【図９】
2010011178.tif 000011